【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
金融商品取引管理システムによって新規買い注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成工程は、
相場価格が、前記第１買い注文トリガー価格になると、前記第１買い注文予約を第１成行買い注文に変換することと、
前記相場価格が、前記第２買い注文トリガー価格になると、前記第２買い注文予約を第２成行買い注文に変換することと、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換することと、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換することと
を含み、
前記注文予約再生工程は、
前記第１指値売り注文の約定または前記第１成行売り注文予約に基づく第１成行売り注文の約定をトリガーとして、前記第１買い注文トリガー価格を含む前記第１買い注文予約を再生すること
を含む
金融商品取引管理方法。
【請求項２】
前記第１買い注文予約が、前記第１成行買い注文に変換されるまでは、顧客資産を前記第１買い注文予約に伴う証拠金として拘束しない
請求項１に記載の金融商品取引管理方法。
【請求項３】
第１買い注文トリガー価格候補および第２買い注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１買い注文トリガー価格候補および前記第２買い注文トリガー価格候補を含む前記複数のトリガー価格候補を決定することを含む
請求項１または２に記載の金融商品取引管理方法。
【請求項４】
金融商品取引管理システムによって新規売り注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成工程は、
相場価格が、前記第１売り注文トリガー価格になると、前記第１売り注文予約を第１成行売り注文に変換することと、
前記相場価格が、前記第２売り注文トリガー価格になると、前記第２売り注文予約を第２成行売り注文に変換することと、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換することと、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換することと
を含み、
前記注文予約再生工程は、
前記第１指値買い注文の約定または前記第１成行買い注文予約に基づく第１成行買い注文の約定をトリガーとして、前記第１売り注文トリガー価格を含む前記第１売り注文予約を再生すること
を含む
金融商品取引管理方法。
【請求項５】
前記第１売り注文予約が、前記第１成行売り注文に変換されるまでは、顧客資産を前記第１売り注文予約に伴う証拠金として拘束しない
請求項４に記載の金融商品取引管理方法。
【請求項６】
第１売り注文トリガー価格候補および第２売り注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１売り注文トリガー価格候補および前記第２売り注文トリガー価格候補を含む前記複数のトリガー価格候補を決定することを含む
請求項４または５に記載の金融商品取引管理方法。
【請求項７】
新規買い注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成部は、
相場価格が、前記第１買い注文トリガー価格になると、前記第１買い注文予約を第１成行買い注文に変換し、
前記相場価格が、前記第２買い注文トリガー価格になると、前記第２買い注文予約を第２成行買い注文に変換し、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換し、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換し、
前記注文予約管理部は、
前記第１指値売り注文の約定または前記第１成行売り注文予約に基づく第１成行売り注文の約定をトリガーとして、前記第１買い注文トリガー価格を含む前記第１買い注文予約を再生し、
前記第２指値売り注文の約定または前記第２成行売り注文予約に基づく第２成行売り注文の約定をトリガーとして、前記第２買い注文トリガー価格を含む前記第２買い注文予約を再生する
金融商品取引管理システム。
【請求項８】
新規売り注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成部は、
相場価格が、前記第１売り注文トリガー価格になると、前記第１売り注文予約を第１成行売り注文に変換し、
前記相場価格が、前記第２売り注文トリガー価格になると、前記第２売り注文予約を第２成行売り注文に変換し、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換し、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換し、
前記注文予約管理部は、
前記第１指値買い注文の約定または前記第１成行買い注文予約に基づく第１成行買い注文の約定をトリガーとして、前記第１売り注文トリガー価格を含む前記第１売り注文予約を再生し、
前記第２指値買い注文の約定または前記第２成行買い注文予約に基づく第２成行買い注文の約定をトリガーとして、前記第２売り注文トリガー価格を含む前記第２売り注文予約を再生する
金融商品取引管理システム。
【請求項９】
前記金融商品取引管理システムは、前記相場価格が、前記第１買い注文トリガー価格になると、前記第１買い注文予約に対応する前記第１成行買い注文が全約定するように、前記第１買い注文トリガー価格よりも高い価格で前記第１成行買い注文が約定することを許容する
請求項１乃至３のいずれか一項に記載の金融商品取引管理方法。
【請求項１０】
前記金融商品取引管理システムは、前記相場価格が、前記第１売り注文トリガー価格になると、前記第１売り注文予約に対応する前記第１成行売り注文が全約定するように、前記第１売り注文トリガー価格よりも低い価格で前記第１成行売り注文が約定することを許容する
請求項４乃至６のいずれか一項に記載の金融商品取引管理方法。